(57)【要約】【課題】同一番組中であっても曲名表示も適切に切り替えることができるデジタルラジオ受信機を提供する。【解決手段】ＣＰＵは、受信中の番組において曲が切り替わったと判断した場合には（Ｓ５）、分離回路によって分離されたトランスポートパケットから得られたコンテンツ記述子と、ＲＡＭに格納しておいたコンテンツ記述子との差分、すなわち、コンテンツ記述子の更新部分を抽出し（Ｓ６）、抽出した更新部分を表示装置に表示させる（Ｓ７）。【選択図】図３
2009033236.tif 000002
【特許請求の範囲】
【請求項１】
地上デジタル音声放送を受信し再生するデジタルラジオ受信機であって、
受信番組と時間的に連動して送られてくるデータ放送向けコンテンツ記述子を格納する格納部と、
前記受信番組における第１の曲から第２の曲への変化を検出する検出部と、
前記検出部で変化が検出されると、前記格納部に格納されるデータ放送向けコンテンツ記述子の更新部分を特定する特定部と、
前記特定部で特定された更新部分を第２の曲名として表示装置に表示させる表示制御部とを備えるデジタルラジオ受信機。
【請求項２】
前記検出部は、前記データ放送向けコンテンツ記述子の更新に基づいて、前記受信番組における第１の曲から第２の曲への変化を検出する請求項１に記載のデジタルラジオ受信機。
【請求項３】
前記表示制御部は、前記受信番組の放送局名及び番組名、前記第２の曲の関連情報、並びに、前記第２の曲の関連情報の格納先を表すリンク情報の少なくとも１つと共に前記第２の曲名を前記表示装置に表示させる請求項１に記載のデジタルラジオ受信機。
【請求項４】
前記表示制御部は、ナビゲーション用の地図情報を前記表示装置に表示させ、前記第２の曲名を前記地図情報上にテロップ表示させる請求項１に記載のデジタルラジオ受信機。
【発明の詳細な説明】
【技術分野】
【０００１】
本発明は、デジタルラジオ受信機に関し、より特定的には、放送番組と時間的に連動するデータ放送向けコンテンツ記述子を処理するデジタルラジオ受信機に関するものである。
【背景技術】
【０００２】
従来、上記のようなデジタルラジオ受信機としては、放送から表示に関する情報を取得し、表示に関する情報が変化すると、表示に関する情報を表示するものが知られている（例えば、特許文献１参照）。
【特許文献１】特開２００５−１３６５５９号公報
【発明の開示】
【発明が解決しようとする課題】
【０００３】
上記デジタルラジオ受信機では、曲情報が変化するイベントとして、ＥＩＴ（Event Information Table）が用いられている。ここで、ＥＩＴには、番組名、放送日時及び番組内容のように、番組に関する情報が記載されている。
【０００４】
音楽番組では、大抵の場合、同一の放送番組中に複数の曲が放送されるが、ＥＩＴではその放送番組について、番組名、放送日時及び番組内容が分かるだけである。つまり、ＥＩＴだけでは、従来のデジタルラジオ受信機は、同一の放送番組中のある曲とその次の曲の変化を知ることはできないので、曲名表示を適切に切り替えることができない。
【０００５】
それ故に、本発明は、１番組中において、曲名表示を適切に切り替え可能なデジタルラジオ受信機を提供することを目的とする。
【課題を解決するための手段】
【０００６】
上記目的を達成するために、本発明の一局面は、地上デジタル音声放送を受信し再生するデジタルラジオ受信機であって、受信番組と時間的に連動して送られてくるデータ放送向けコンテンツ記述子を格納する格納部と、受信番組における第１の曲から第２の曲への変化を検出する検出部と、検出部で変化が検出されると、格納部に格納されるデータ放送向けコンテンツ記述子の更新部分を特定する特定部と、特定部で特定された更新部分を第２の曲名として表示装置に表示させる表示制御部とを備える。
【発明の効果】
【０００７】
上記の通り、本発明によれば、受信番組中で曲が変わると、データ放送向けコンテンツ記述子の更新部分を曲名として表示するため、同一番組中であっても曲名表示も適切に切り替えることが可能なデジタルラジオ受信機を提供することが可能となる。
【発明を実施するための最良の形態】
【０００８】
以下、本発明の実施の形態について、図面を参照して説明する。
【０００９】
本発明の一実施の形態のデジタルラジオ受信機を図１に示す。
【００１０】
図１に示すように、デジタルラジオ受信機１は、ＣＰＵ（Central Processing Unit）１０と、ＲＡＭ（Random Access Memory）１１と、ＲＯＭ（Read Only Memory）１２と、ＮＶＲＡＭ（Non Volatile RAM）１３と、地上デジタル音声放送波を受信するアンテナ１４と、地上デジタル音声放送波をベースバンド信号に復調する復調回路１５と、ベースバンド信号に多重化された各信号を分離する分離回路１６と、音声信号を復号するデコード回路１７と、液晶ディスプレイ等よりなる表示部１８と、スピーカ１９とを備えている。
【００１１】
ＣＰＵ１０は、ＲＯＭ１２及びＮＶＲＡＭ１３に記憶されたプログラムをＲＡＭ１１に読み込んで、ＲＡＭ１１に読み込んだプログラムを実行することによって、後述するように表示部１８の表示を制御する等、各部を制御するようになっている。
【００１２】
なお、本実施の形態において、ＲＡＭ１１は、本発明における格納部を構成し、プログラムを実行するＣＰＵ１０は、検出部、特定部及び表示制御部を構成する。
【００１３】
アンテナ１４に受信される地上デジタル音声放送波は、図示しない放送局から送出されている。放送局は、複数の番組を表す音声データをトランスポートパケットにパケット化して多重化して変調している。
【００１４】
また、放送局は、音声のトランスポートパケットに加えて、音声のトランスポートパケットに含まれる各番組の属性等を表すＰＳＩ（Program Specific Information）をトランスポートパケットにパケット化して音声のトランスポートパケットに多重化している。
【００１５】
ＰＳＩとしては、変調周波数等の伝送路の情報と放送番組とを関連付ける情報からなるＮＩＴ（Network Information Table）並びに番組の名称、放送日時及び内容の説明等の番組に関する情報からなるＥＩＴ等が含まれている。
【００１６】
また、放送局は、各番組で現在に放送している曲や情報の関連情報としてデータ放送向けコンテンツ記述子をトランスポートパケットにカルーセル方式でパケット化して音声のトランスポートパケットに多重化している。
【００１７】
このコンテンツ記述子は、本実施の形態においては、図２に示すように、番組で現在に放送している曲に対して、アルバム名、アーティスト名、曲名及び紹介情報等の関連情報または関連情報の格納先を表すリンク情報がＢＭＬ（Broadcast Markup Language）で記述されている。
【００１８】
分離回路１６は、これら音声、ＰＳＩ及びコンテンツ記述子のトランスポートパケットをベースバンド信号から分離するようになっている。デコード回路１７は、分離回路１６によって分離された音声のトランスポートパケットから音声信号を復号し、スピーカ１９を介して音声出力するようになっている。
【００１９】
表示部１８は、本実施の形態においては、テキストを１行表示できる程度の表示画面を有する表示装置によって構成されている。なお、表示部１８は、ナビゲーション用の地図情報等の映像を表示させるための表示装置の表示画面の一部によって構成してもよい。
【００２０】
以上のように構成されたデジタルラジオ受信機１について図３を用いてその動作を説明する。
【００２１】
まず、アンテナ１４に地上デジタル音声放送波が受信されると（Ｓ１）、受信された地上デジタル音声放送波が復調回路１５によってベースバンド信号に復調され、分離回路１６によって音声、ＰＳＩ及びコンテンツ記述子のトランスポートパケットに分離される（Ｓ２）。
【００２２】
分離回路１６によって分離された音声のトランスポートパケットがデコード回路１７によって音声信号に復号され、スピーカ１９を介して音声出力される一方で、受信中の番組が変更したか否かがＰＳＩに基づいてＣＰＵ１０によって判断される（Ｓ３）。
【００２３】
ここで、受信中の番組が変更したと判断された場合には、分離回路１６によって分離されたトランスポートパケットから得られたコンテンツ記述子がＣＰＵ１０によってＲＡＭ１１に格納され（Ｓ４）、デジタルラジオ受信機１の動作は地上デジタル音声放送波の受信を継続する。
【００２４】
一方、受信中の番組が変更していないと判断された場合には、ＲＡＭ１１に格納したコンテンツ記述子と、分離回路１６によって分離されたトランスポートパケットから得られたコンテンツ記述子とがＣＰＵ１０によって比較され、受信中の番組において曲が切り替わったか否かが判断される（Ｓ５）。
【００２５】
受信中の番組において曲が切り替わっていないと判断された場合には、デジタルラジオ受信機１の動作は地上デジタル音声放送波の受信を継続する。一方、受信中の番組において曲が切り替わったと判断された場合には、分離回路１６によって分離されたトランスポートパケットから得られたコンテンツ記述子と、ＲＡＭ１１に格納されたコンテンツ記述子との差分、すなわち、コンテンツ記述子の更新部分がＣＰＵ１０によって抽出され（Ｓ６）、抽出された更新部分が表示部１８に表示される（Ｓ７）。
【００２６】
次いで、分離回路１６によって分離されたトランスポートパケットから得られたコンテンツ記述子がＣＰＵ１０によってＲＡＭ１１に格納され（Ｓ４）、デジタルラジオ受信機１の動作は地上デジタル音声放送波の受信を継続する。
【００２７】
このような本発明の一実施の形態のデジタルラジオ受信機１は、受信番組中で曲が変わると、データ放送向けコンテンツ記述子の更新部分を曲名として表示するため、同一番組中であっても曲名表示も適切に切り替えることができる。
【００２８】
なお、ＣＰＵ１０は、ＮＩＴから得られる受信番組の放送局名及びＥＩＴから得られる番組名等を、抽出したコンテンツ記述子の更新部分と共に表示部１８に表示させるようにしてもよい。
【００２９】
また、ＣＰＵ１０が、ナビゲーション用の地図情報等の映像を表示部１８に表示させ、コンテンツ記述子の更新部分を映像上にテロップ表示させるようにしてもよい。また、ＣＰＵ１０が、コンテンツ記述子の更新部分を表示部１８に表示させる際に、この更新部分を表す音声をスピーカ１９から出力させるようにしてもよい。
【００３０】
また、本実施の形態においては、ＣＰＵ１０が、分離回路１６によって分離されたトランスポートパケットから得られたコンテンツ記述子と、ＲＡＭ１１に格納したコンテンツ記述子とを比較することによって、受信中の番組において曲が切り替わったか否かを判断するものとして説明したが、コンテンツ記述子が更新されたことを表すフラグがコンテンツ記述子に含まれる場合には、ＣＰＵ１０は、このフラグを検出することによって、受信中の番組において曲が切り替わったか否かを判断するようにしてもよい。
【産業上の利用可能性】
【００３１】
以上のように、本発明にかかるデジタルラジオ受信機は、同一番組中であっても曲名表示も適切に切り替えることができるという効果を有し、例えば、放送番組と時間的に連動するデータ放送向けコンテンツ記述子を処理するデジタルラジオ受信機等として有用である。
【図面の簡単な説明】
【００３２】
【図１】本発明の一実施の形態におけるデジタルラジオ受信機のブロック図
【図２】本発明の一実施の形態におけるデジタルラジオ受信機に受信される地上デジタル音声放送波から得られるコンテンツ記述子の一例を示すリスト
【図３】本発明の一実施の形態におけるデジタルラジオ受信機の動作を説明するためのフロー図
【符号の説明】
【００３３】
１  デジタルラジオ受信機
１０  ＣＰＵ
１１  ＲＡＭ
１２  ＲＯＭ
１３  ＮＶＲＡＭ
１４  アンテナ
１５  復調回路
１６  分離回路
１７  デコード回路
１８  表示部
１９  スピーカ
【図１】
2009033236.tif 000003
【図２】
2009033236.tif 000004
【図３】
2009033236.tif 000005